(57)【要約】  消費財の包装パッケージ（１０）は、１つ又はそれ以上の消費財を収納する充填されたパッケージ（１２）と、充填されたパッケージの周りに巻かれた外側包装材（１４）と、を含み、外側包装材の対向する第１の縁（１６ａ）及び第２の縁（１６ｂ）は、パッケージの第１の側を横切って延びる長手方向重なり領域（１８）に沿って互いに重なる。外側包装材（１４）には、長手方向重なり領域（１８）全体を横切って横方向に延びる開封切れ目（２２）が設けられ、外側包装材（１４）に開封用タブ（２４）を規定する。【選択図】図１
2014500208.tif 000002
【特許請求の範囲】
【請求項１】
消費財の包装パッケージであって、
１つ又はそれ以上の消費財を収納する充填されたパッケージと、
前記充填されたパッケージの周りに巻かれる外側包装材であって、前記パッケージの第１の側を横切って延びる長手方向重なり領域に沿って前記外側包装材の第１及び第２の対向する縁が互いに重なるようにする外側包装材と、
を含み、
前記外側包装材には前記長手方向重なり領域全体を横切って横方向に延びる開封用切れ目が設けられ、前記外側包装材に開封用タブを規定することを特徴とする包装パッケージ。
【請求項２】
前記開封用切れ目は略Ｕ字形状であることを特徴とする、請求項１に記載の包装パッケージ。
【請求項３】
前記外側包装材は、前記開封用タブを形成する前記開封用切れ目の端部から離間され、開封用切れ目の連続部を形成する２つの追加の対向する切れ目をさらに含むことを特徴とする、請求項１又は請求項２に記載の包装パッケージ。
【請求項４】
前記２つの追加の対向する切れ目は、前記重なり領域の前記長手方向に対して０度乃至４５度の角度で延び、前記対向する切れ目は、前記重なり領域の前記対向する長手方向縁において終端することを特徴とする、請求項３に記載に包装パッケージ。
【請求項５】
前記外側包装材は、前記開封用切れ目及び前記長手方向重なり領域の一方の側に配置され、前記長手方向重なり領域に対して略直角の方向に延びる追加の横方向の切れ目をさらに含むことを特徴とする、請求項１〜請求項４のいずれかに記載の包装パッケージ。
【請求項６】
前記開封用切れ目は、前記パッケージの縁から、前記長手方向重なり領域の長さに沿って前記長さの５％乃至２５％に配置されることを特徴とする、請求項１〜請求項５のいずれかに記載の包装パッケージ。
【請求項７】
前記重なり領域の横方向の幅は、３ｍｍ乃至１０ｍｍであることを特徴とする、請求項１〜請求項６のいずれかに記載の包装パッケージ。
【請求項８】
前記外側包装材の前記対向する縁は、前記長手方向重なり領域に沿って一緒にシールされることを特徴とする、請求項１〜請求項７のいずれかに記載の包装パッケージ。
【請求項９】
前記長手方向重なり領域は、前記パッケージの前壁を横切って延びることを特徴とする、請求項１〜請求項８のいずれかに記載の包装パッケージ。
【請求項１０】
界面に沿って互いに接触する２つ又はそれ以上の消費財を収納し、前記長手方向重なり領域は、前記パッケージの縁において前記消費財間の前記界面の上に重なり、前記開封用切れ目は、前記界面を横切って設けられ、前記長手方向重なり領域を取り除くことにより前記外側包装材を開封すると、前記２つ又はそれ以上の消費財が互いから分離可能になることを特徴とする、請求項１〜請求項９のいずれかに記載の包装パッケージ。
【請求項１１】
喫煙物品の束で充填され、前記外側包装材に包装された容器を含むことを特徴とする、請求項１〜請求項１０のいずれかに記載の包装パッケージ。
【請求項１２】
請求項１〜請求項１１のいずれかに記載の包装パッケージを製造するための方法であって、
１つ又はそれ以上の消費財を収納する充填されたパッケージを提供することと、
外側包装材を前記パッケージの周りに一方向において包装し、前記外側包装材の第１及び第２の対向する縁を重ねて、前記パッケージの第１の側を横切って延びる長手方向重なり領域を形成することと、
前記外側包装材の前記端部をシールするステップと、
前記長手方向重なり領域全体を横切って横方向に延びて開封用タブを規定する、開封用切れ目を前記外側包装材に設けることと
を含むことを特徴とする方法。
【請求項１３】
前記開封用切れ目の第１の部分は、前記外側包装材の前記対向する縁の第１の縁に形成され、前記開封用切れ目の第２の部分は前記外側包装材の前記対向する縁の第２の縁に形成され、前記外側包装材の前記対向する縁は互いに重ねられ、前記開封用切れ目の前記第１の部分及び前記第２の部分が互いに位置合わせされ、完全な開封用切れ目が形成されるようにすることを特徴とする、請求項１２に記載の方法。
【請求項１４】
前記外側包装材を形成するための前記シート材料の連続シート上に複数の離間された開封用切れ目が設けられ、前記連続シートは、前記開封用切れ目の各々の中間点を横方向に通って裁断され、別個の外側包装材が形成されることを特徴とする請求項１２に記載の方法。
【請求項１５】
請求項１〜請求項１４のいずれかに記載の包装パッケージから前記外側包装材を取り除く方法であって、前記開封用切れ目により形成された前記開封用タブを掴むことと、前記開封用タブを前記長手方向重なり領域の方向に引っ張り前記長手方向重なり領域を前記外側包装材の残りの部分からはがすことと、ひとたび前記長手方向重なり領域が前記外側包装材から分離されたら前記外側包装材の残りを前記パッケージから取り除くステップと、を含むことを特徴とする方法。
【発明の詳細な説明】
【技術分野】
【０００１】
本発明は、開封用切れ目により規定される開封用タブを有する外側包装材を含む、消費財の包装パッケージ、及びそのような包装パッケージを製造するための方法に関する。包装パッケージは、喫煙物品の包装パッケージとして具体低用途を有する。
【背景技術】
【０００２】
様々なタイプの容器に消費財を梱包することが知られている。例えば、特定の消費財は折り畳まれた層状ブランクから形成された容器に梱包される。例えば、たばこ及び葉巻などの細長い喫煙物品は、一般に、喫煙物品を収容するための箱と容器の後壁を横切って延びるヒンジ線に沿って箱に接続される蓋とを有する、ヒンジ付蓋パックで販売される。他のタイプの消費財、特に、脆い又は壊れやすい物品は、成型プラスチック又は金属材料で形成された剛性容器内に梱包される。他の場合においては、消費財は、紙又はセロファンなどのより可撓性の材料で形成されたバッグ、ポーチ、又は「軟らかい」パック内に梱包される場合がある。
【０００３】
従来、喫煙物品等の消費財が充填された容器は、多くの場合、透明なポリマーフィルムの、下にある容器から外側包装材を取り除きやすくするための開封テープが設けられた外側包装材で上から包装される。開封テープを取り除くと、外側包装材を２つの部分に分離し、次いでこれらを個別に容器から取り除くことができる。しかしながら、このタイプの外側包装材は、一般に、容器上に収縮包装されるので、フィルム材料は容器をしっかりと包装する。結果として、開封テープを取り除いた後であっても、消費者は、消費財にアクセスするために、外側包装材の残りを容器から取り除くのが困難な場合がある。
【０００４】
充填された容器の外側包装材に対する開封テープの適用は、包装容器の製造プロセスに追加の処理ステップ及び装置の導入を必要とする。また、開封テープは、典型的に、外側包装材とは異なる材料で形成されるので、容器の製造に追加の材料が必要となる。さらに、外側包装材の効率的な開封を阻害することがある、開封テープの任意の欠陥を検出するために、品質管理プロセスの一部として、追加のイメージング装置も必要になり得る。
【発明の概要】
【発明が解決しようとする課題】
【０００５】
消費者が外側包装材を取り除きやすくする、消費財の包装パッケージの外側包装材を開くための新規な手段を提供することが望ましい。追加の又は専門的な装置又は技術を必要とせずに、かかる開封のための手段を外側包装材に組み込むことが特に望ましい。
【課題を解決するための手段】
【０００６】
本発明によると、１つ又はそれ以上の消費財を収容する充填されたパッケージと、外側包装材の第１及び第２の対向する縁が、パッケージの第１の側を横切って延びる長手方向重なり領域に沿って互いに重なる、充填されたパッケージの周りを梱包する外側包装材と、を含む、消費財の包装パッケージが提供される。外側包装材には、長手方向重なり領域全体を横切って横方向に延びて外側包装材に開封用タブを規定する、開封用切れ目が設けられる。外側包装材は、開封用タブを引っ張ることにより開くことができる。
【０００７】
用語「長手方向」は、外側包装材の重なり領域の長さに沿った方向を指す。用語「横方向」は、重なり領域の長手方向に対して実質的に直角である方向を指す。
【０００８】
本発明の包装パッケージは、開封テープを提供せずに外側包装材を包装パッケージから容易に取り除くことを可能にする、外側包装材の新規な構成を組み込む。従来の外側包装材におけるように、外側包装材の第１及び第２の縁は、パッケージの面を横切って延びる長手方向領域に沿って重なる。本発明による包装パッケージにおいては、開封用切れ目が重なり領域を横切って設けられるので、開封用タブが長手方向領域に沿って引っ張られると、開封用切れ目が、長手方向領域の縁に沿って長手方向重なり領域の方向に伝搬する。従って、長手方向重なり領域の縁は、効果的に所定の破断線与え、開封用タブが重なり領域の長手方向に引っ張られると、外側包装材はこの破断線に沿って引きはがされる。
【０００９】
重なり領域を形成する包装材の長手方向部分は、外側包装材の残りから引きはがされるので、外側包装材のストリップは包装パッケージから取り除かれる。このようにして、パッケージは、追加の開封テープを必要とすることなく、外側包装材を形成するフィルム材料のストリップを取り除くことによって開かれる。次いで、パッケージの周りの外側包装材の残りを容易に取り除くことにより、パッケージを完全に開くことができる。
【００１０】
有利なことに、本発明による包装パッケージを開くための手段は、外側包装材を形成するフィルム材料に、いかなる追加の材料又は構成部品も組み込むことなく形成することができる。さらに、既存の外側包装材は、典型的に、パッケージの周りに折り重ねられると既に重なり領域を含むため、本発明による包装パッケージの長手方向重なり領域は、追加のステップ又は機械を必要とすることなく、従来の包装及びシール技術及び装置を用いて、有利に設けることができる。外側包装材を形成するためのシート材料に、開封用切れ目を予め切ることにより、既存の包装用装置を適応を最小限にすることが好ましい。開封テープの使用は必要なくなるので、開封テープの適用における欠陥を検出するための品質管理装置を包装ラインから取り除くことができる。これら全ての理由により、本発明の包装パッケージは、開封テープを組み込む従来の包装パッケージより費用効率が高く、かつ効率的な方法で、製造することができる。
【００１１】
開封用切れ目は、外側包装材の残りから長手方向重なり領域を分離するための開封用タブを規定する。従って、開封用切れ目は、重なり領域において、外側包装材の両方の層を通って延びることが好ましい。開封用切れ目は、重なり領域全体にわたって延びる。開封用切れ目は、全体を重なり領域内に設けてもよいし、又は、開封用切れ目の一部が重なり領域の縁を横切って、重なり領域に隣接する外側包装材の領域に延びてもよい。開封用切れ目は、重なり領域の幅全体を横切って、重なり領域のいずれかの側の包装材の隣接する部分に短い距離だけ延びることが好ましい。この構成は、重なり領域全体を取り除くことを容易にする。
【００１２】
開封用切れ目は、いずれかの好適な形状で形成して、重なり領域を効果的に取り除くための開封用タブを規定することができる。開封用切れ目は、曲線又は３つ又はそれ以上の接続された直線で形成された、実質的にＵ字形状の切れ目であることが好ましい。有利なことに、Ｕ字形状の開封用切れ目の使用は、取り扱い中、力に対して良好な抵抗を与えるので、外側包装材が開封前に不注意に引きはがされることはない。開封用切れ目に適した他の形状は、Ｖ字形状及びＳ字形状を含むが、これらに限定されない。
【００１３】
開封用切れ目が、重なり領域の縁に沿って効果的に伝搬するように、開封用切れ目の少なくとも一端を重なり領域の長手方向と実質的に位置合わせすることが好ましい。例えば、Ｕ字形の切れ目の場合、Ｕ字形状の切れ目の対向する端部は、重なりストリップの長手方向に対して実質的に平行であることが好ましい。
【００１４】
開封用切れ目は、外側包装材が充填されたパッケージの周りに巻かれる前に、外側包装材を形成するシート材料に形成されることが好ましい。特定の実施形態においては、開封用切れ目全体の形状を外側包装材の第１及び第２の縁の両方に設けて、パッケージの包装中、各縁における開封用切れ目が互いに正確に重なるように位置合わせすることができる。代替的な実施形態においては、開封用切れ目の一部が第１の縁に形成され、開封用切れ目の一部が第２の縁に形成され、第１及び第２の縁が重ねられると、開封用切れ目の２つの別個の部分が組み合わされることにより、開封用切れ目全体が形成される。この場合においては、開封用切れ目の部分の位置合わせ及び重ねあわせは、重なり部分において切れ目が実質的に直線であるように切れ目の形状を適応させることにより容易にすることが好ましい。
【００１５】
外側包装材は実質的に透明材料で、開封前に下にあるパッケージが外側包装材を通して見えることが好ましい。外側包装材を形成するのに適した透明ポリマーフィルムは、例えば、高密度又は低密度ポリエチレン、ポリプロピレン、配向性ポリプロピレン、ポリ塩化ビニリデン、セルロースフィルム、又はこれらの組み合わせを含む。外側包装材は、長手方向重なり領域の縁に沿って容易にはがすことができるポリプロピレン又は配向性ポリプロピレンで形成されることが好ましい。
【００１６】
典型的に不透明材料で形成される従来の開封テープとは異なり、長手方向重なり領域は実質的に透明とすることができる。このことは、有利なことに、重なり領域が、下にあるパッケージの外面上のいずれの印刷された文字又は図形も覆い隠さないことを意味する。従って、下にある表面に対する重なり領域の位置は、開封テープが含まれる位置より柔軟である。
【００１７】
本発明による包装パッケージの外側包装材は、その表面の一部又は全面に印刷することができる。特定の好ましい実施形態においては、外側包装材は、有利なことに、何らかの方法で印刷して開封タブの位置を示す。より簡単なアクセスのために、開封テープの代わりに切り取り線を用いる従来の外側包装材においては、かかる印刷は、必ずしも切り取り線の近傍で可能なわけではない。切り取り線上に印刷が適用されると、インクが外側包装材を通って漏れ、内側のパッケージを汚しかねない。本発明によるパッケージの外側包装材に重なり領域を設けるためには、かかる切り取り線は不要であるので、望まれれば、重なり領域に沿って印刷を施すことができる。このことは、本発明の包装パッケージに独特な外観を与えることを可能にする。
【００１８】
外側包装材は、開封用タブを形成する開封用切れ目の端部から離間して配置され、かつ開封用切れ目の連続部を形成する２つの追加の対向する切れ目をさらに含むことが好ましい。例えば、開封用切れ目がＵ字形状である場合、２つの追加の対向する切れ目は、Ｕ字形状の２つの端部の連続部である。２つの追加の対向する切れ目は、開封用切れ目の端部から約１ｍｍ乃至約２ｍｍ離間されることが好ましい。追加の切れ目は、開封用タブが長手方向に引っ張られる際の長手方向重なり領域を取り除くことをさらに容易にし、外側包装材を重なり領域の縁に沿ってはがせることを保証する。
【００１９】
２つの追加の対向する切れ目は、重なり領域の長手方向に対して、約０乃至約４５度、より好ましくは約０乃至約３０度の角度で延び、対向する切れ目は、重なり領域の対向する長手方向の縁で終端することが好ましい。対向する切れ目が、重なり領域の長手方向に対して約０度の角度で延びる場合、切れ目は、この領域に対して実質的に平行である。開封用タブが全体的に長手方向重なり領域内に設けられる場合、対向する切れ目は、有利なことに、開封用切れ目の端部を重なり領域の縁に接続するように配置し、領域全体を取り除くことを容易にすることができる。
【００２０】
２つの追加の対向する切れ目に加えて又はこれに代わって、外側包装材は、開封用切れ目及び長手方向重なり領域の一方の側に配置され、長手方向重なり領域に対して実質的に直角の方向に延びる追加の横方向の切れ目をさらに含む。追加の横方向の切れ目を含むことにより、ひとたび長手方向重なり領域が取り除かれると、包装材の残りをパッケージから取り除くことが容易になることがわかった。
【００２１】
長手方向重なり領域は、包装パッケージの少なくとも一つの側を横切って延びる。重なり領域は、パッケージのいずれの側に設けてもよいが、パッケージの前壁又は上壁を横切って延びるように設けられることが好ましい。重なり領域は、パッケージを横切る水平方向に、又は垂直方向に、又はパッケージの面を横切る他の任意の角度で延びることができる。パッケージが矩形平行六面体の容器である本発明の好ましい実施形態において、長手方向重なり領域は、典型的には垂直方向でもあるパックの長手方向に延びることが好ましい。
【００２２】
包装材は、パッケージの周りに巻かれ、２つの対向する端部において折り畳まれ、シールされることが好ましい。例えば、包装材は、２つの端部において折り畳まれ、エンベロープ型シールの形にシールされることが好ましい。特定の好ましい実施形態においては、開封用切れ目は、シールされた端部の一方において重なり領域に設けられる。他の実施形態においては、開封用切れ目は、シールされた端部の各々において重なり領域に設けられる。
【００２３】
開封用切れ目は、パッケージの縁から、長手方向重なり領域の長さに沿って、その長さの約５パーセント乃至約２５パーセントに配置されることが好ましい。開封用切れ目は、開封用タブが、重なりストリップの長さの残りである約７５パーセント乃至約９５パーセントに向かって引っ張られるように適応されるように配向することが好ましい。このようにして、外側包装材は、重なり領域の長さの少なくとも約７５パーセントに沿って、又は、この領域が横切って延びるパッケージの面の長さ又は幅の少なくとも約７５パーセントに沿って開かれる。例えば、開封用切れ目がＵ字形状である場合、開封用切れ目は、Ｕ字形状の開放端が重なり領域の長さの残りである約７５パーセント乃至約９５パーセントに向くように配置されることが好ましい。
【００２４】
重なり領域の横方向幅は、好ましくは約３ｍｍ乃至約１０ｍｍ、より好ましくは約４ｍｍ乃至約７ｍｍで、所望されるように変更することができる。これは、開封テープの典型的な幅より大幅に広く、これにより、本発明によるパッケージの外側包装材を取り除くことがさらに容易になる。
【００２５】
好ましくは、外側包装材が充填されたパッケージの周りの所定の位置に固定され、開封用切れ目を形成する第１及び第２の縁における切れ目が正しく位置合わせされたままであることを保証するために、外側包装材の対向する縁は、長手方向重なり領域に沿って互いにシールされる。
【００２６】
本発明による包装パッケージ内に消費財を収納するパッケージは、例えば、消費財を収容するための箱と蓋とを含むヒンジ蓋容器、及び消費財を収容するための内側スライドと容器を閉じるための外側シェルとを含むスライド・シェル容器等の様々な形態をとることができる。パッケージは、代替的に、消費財が、剛性の容器なしで可撓性内側ライナに包まれる「軟らかいパック」形態であることもできる。この場合は、外側包装材は内側ライナの周りに直接適用される。代替的に、パッケージは、例えば、コンパクトディスク（ＣＤ）又はデジタル多目的ディスク（ＤＶＤ）を保管するのに用いられるもののような成型プラスチック又は金属の箱又は容器とすることができる。
【００２７】
本発明の特定の実施形態において、包装パッケージは、ひとたび外側包装材が取り除かれると、互いから分離した又は分離することができる消費財の２つ又はそれ以上のパッケージを収納することができる。例えば、包装パッケージは、別個に包装されたパッケージの群が外側包装材により一緒に包装された、消費財のマルチパック形態であることができる。各パッケージは、単一の消費アイテムを、又は、消費財の群又は束を収納することができる。
【００２８】
本発明の１つの好ましい実施形態において、包装パッケージは、界面に沿って互いに接触する消費財の２つ又はそれ以上のパッケージを収納し、長手方向重なり領域は、パッケージの縁において消費財の間の界面の上に重なる。本実施形態においては、開封用切れ目は、界面を横切って設けられ、長手方向重なり領域を取り除くことにより外側包装材を開封すると消費財の２つ又はそれ以上のパッケージが互いに分離可能になることが好ましい。この構成は、例えば、販売者又は消費者により、消費財のマルチパックを解くことを容易にする。包装パッケージは、２乃至２０個の消費財のパッケージを収納することが好ましく、より好ましくは約５乃至１０個のパッケージ、最も好ましくは１０個の消費財のパッケージを含む。
【００２９】
本発明による包装パッケージのパッケージは、ボール紙、板紙、プラスチック、金属、又はこれらの組み合わせを含むが、これらに限定されない、任意の好適な材料から形成することができる。パッケージは、１つ又はそれ以上の折り畳まれた層状ボール紙ブランクから形成されることが好ましく、かつボール紙は、１平方メートル当たり約１００グラム乃至１平方メートル当たり約３５０グラムの斤量を有することが好ましい。
【００３０】
本発明による包装パッケージは、直角の長手方向縁と直角の横方向縁とを有する矩形平行六面体とすることができる。代替的に、包装パッケージは、１つ又はそれ以上の長手方向角丸縁、横方向角丸縁、長手方向面取り縁又は横方向面取り縁、又はこれらの組み合わせを含むことができる。例えば、本発明による包装パッケージは、
−前壁に１つ又は２つの長手方向の角丸縁又は面取り縁、及び／又は、後壁に１つ又は２つの長手方向の角丸縁又は面取り縁
−前壁に１つ又は２つの横方向の角丸縁又は面取り縁、及び／又は、後壁に１つ又は２つの横方向の角丸縁又は面取り縁
−前壁に１つの長手方向の角丸縁及び１つの長手方向の面取り縁、及び／又は、後壁に１つの横方向の角丸縁及び１つの横方向の面取り縁
−前壁に１つ又は２つの横方向の角丸縁又は面取り縁、及び、前壁に１つ又は２つの長手方向の角丸縁又は面取り縁
−第１の側壁に２つの長手方向の角丸縁又は面取り縁、又は、第２の側壁に２つの横方向の角丸縁又は面取り縁
を含むことができるが、これらに限定されない。
【００３１】
パッケージが１つ又はそれ以上の角丸縁を含み、かつ１つ又はそれ以上の層状ブランクから作られる場合、ブランクは、組み立てられたパッケージの各々の角丸縁を形成するための３、４、５、６、又は７の切り込み折り線又は折り線を含むことが好ましい。切り込み折り線又は折り線は、パッケージの内側にあってもよいし、又は、パッケージの外側にあってもよい。切り込み折り線又は折り線は、約０．３ｍｍ乃至４ｍｍ互いに離間されることが好ましい。
【００３２】
折り線又は切り込み折り線の間隔は、層状ブランクの厚さの関数であることが好ましい。折り線又は切り込み折り線の間の間隔は、層状ブランクの厚さより約０．５倍乃至約４倍大きいことが好ましい。
【００３３】
パッケージが１つ又はそれ以上の面取り縁を含む場合、面取り縁は、約１ｍｍ乃至約１０ｍｍ、約２乃至約６ｍｍの幅を有することが好ましい。代替的に、パッケージは、容器の縁に２つの別個の面取り部が形成されるように離間された３つの平行な折り線又は切り込み折り線により形成された２つの面取り部を含むことができる。
【００３４】
パッケージが面取り縁を含み、１つ又はそれ以上の層状ブランクから作られる場合、面取り部は、層状ブランクにおける２つの平行な折り線又は切り込み折り線により形成することができる。折り線又は切り込み折り線は、第１の壁と第２の壁との間の縁に対して対称的に配置することができる。代替的に、面取り部が、パッケージの第２の壁よりパッケージの第１の壁にさらに近づくように、折り線又は切り込み折り線を第１の壁と第２の壁との間の縁に対して非対称に配置することができる。
【００３５】
代替的に、パッケージは、例えば、三角形又は六角形等の多角形、又は楕円形、半楕円形、円形若しくは半円形等の、非矩形の横断面を有することができる。
【００３６】
本発明による包装パッケージは、様々な消費財に用いることができるが、例えば、たばこ、葉巻、又はシガリロなどの細長い喫煙物品のためのパックとして特定の用途がある。適切な寸法を選択することにより、本発明によるパッケージは、様々な数の、従来サイズ、キングサイズ、スーパーキングサイズ、スリム、又はスーパースリムのたばこのために設計できることを理解されたい。
【００３７】
適切な寸法を選択することにより、本発明によるパッケージは、様々な合計数の喫煙物品又は様々な配置の喫煙物品を保持するように設計することができる。例えば、適切な寸法を選択することにより、本発明によるパッケージは、合計１０乃至３０本の喫煙物品を保持するように設計することができる。他の例では、本発明によるパッケージは、各々が１０乃至３０本の喫煙物品を保持するように設計された、喫煙物品の複数のパッケージを保持するように設計することができる。
【００３８】
パッケージ内の喫煙物品は、喫煙物品の合計数によって、異なる丁合いで配置することができる。例えば、喫煙物品は、６、７、８、９又は１０本を単一の列に配置することができる。代替的に、喫煙物品は、２又はそれ以上の列に配置することができる。２又はそれ以上の列は、同じ数の喫煙物品を収納することができる。例えば、喫煙物品は、５、６、７、８、９又は１０本を２列、５又は７本を３列、４、５又は６本を４列に配置することができる。代替的に、２又はそれ以上の列は、互いに異なる数の喫煙物品を収納する少なくとも２つの列を含むことができる。例えば、喫煙物品は、５本の列と６本の列（５−６）、６本の列と７本の列（６−７）、７本の列と８本の列（７−８）、５本の中間列と６本の２つの外側列（６−５−６）、５本の中間列と７本の２つの外側列（７−５−７）、６本の中間列と５本の２つの外側列（５−６−５）、６本の中間列と７本の２つの外側列（７−６−７）、７本の中間列と６本の２つの外側列（６−７−６）、９本の中間列と８本の２つの外側列（８−９−８）、又は、６本の中間列と５本の１つの外側列と７本の１つの外側列（５−６−７）で配置することができる。
【００３９】
本発明による包装パッケージは、同じタイプ又はブランドの、又は、異なるタイプ又はブランドの喫煙物品を保持することができる。さらに、フィルタのない喫煙物品及び種々のフィルタ付きの喫煙物品の両方、並びに、異なる長さ（例えば、約４０ｍｍ乃至約１８０ｍｍ）、直径（例えば、約４ｍｍ乃至約９ｍｍ）の喫煙物品を収納することができる。さらに、喫煙物品は、味、通気抵抗、及び合計粒子状物質の送給の強さが異なる場合がある。パッケージの寸法は、喫煙物品の長さ及び喫煙物品の丁合いに適応させることが好ましい。典型的には、パッケージの外側寸法は、容器内に収容される喫煙物品の束又は複数の束の寸法より約０．５ｍｍ乃至約５ｍｍだけ大きい。
【００４０】
本発明による包装パッケージの長さ、幅、及び奥行は、閉じた位置において、出来上がった包装パッケージの全体寸法が、たばこ２０本入りの典型的な使い捨てヒンジ蓋パックの寸法と同様とすることができる。代替的な実施形態において、本発明による包装パッケージの長さ、幅、及び奥行は、閉じた位置において、出来上がった包装パッケージの全体寸法が、たばこ２０本入りヒンジ蓋容器が１０個入った典型的なカートンの寸法と同様とすることができる。
【００４１】
本発明による包装パッケージは、好ましくは、約６０ｍｍ乃至約１５０ｍｍの高さ、より好ましくは、約７０ｍｍ乃至約１２５ｍｍの高さを有し、この高さは、パッケージの上壁から底壁までを測定したものである。
【００４２】
本発明による包装パッケージは、好ましくは、約１２ｍｍ乃至約１５０ｍｍの幅、より好ましくは、約７０ｍｍ乃至約１２５ｍｍの幅を有し、この幅は、包装パッケージの一方の側壁から他方の側壁までを測定したものである。
【００４３】
本発明による包装パッケージは、好ましくは、約６ｍｍ乃至約１００ｍｍの奥行、より好ましくは約１２ｍｍ乃至約２５ｍｍの奥行を有し、この奥行は、包装パッケージの前壁から後壁までを測定したものである（箱と蓋との間のヒンジを含む）。
【００４４】
容器の高さと包装パッケージの奥行の比は、好ましくは、約０．３対１乃至約１０対１、より好ましくは、約２対１乃至約８対１、最も好ましくは約３対１乃至５対１である。
【００４５】
包装パッケージの幅と容器の奥行の比は、好ましくは、約０．３対１乃至約１０対１、より好ましくは、約２対１乃至約８対１、最も好ましくは約２対１乃至３対１である。
【００４６】
喫煙物品の束を収容するとともに、包装パッケージは、例えば、マッチ、ライター、消火手段、口臭予防材又は電子装置等の他の消費財をさらに含むことができる。他の消費財は、パッケージの外側に取り付ける、パッケージの別個のコンパートメントに喫煙物品と一緒にパッケージ内に収納する、又はこれらの組み合わせで収納することができる。
【００４７】
外側包装材は、例えば、ポリエチレン、ポリプロピレン、ポリブチレン、エチレン・プロピレンのコポリマー、プロピレン・ブチレンのコポリマー、エチレン・ブチレンのコポリマー、エチレン・プロピレン・ブチレンのターポリマーの１つ又は組み合わせ等のシール可能ポリオレフィンで被覆することが好ましい。外側包装材の被覆材料は、パッケージの外側の全てのコーティングと異なり、シール時に外側包装材がパッケージにシールされないことが好ましい。これにより、個別に上から包装されたパッケージの束を包装することができる。適切なシール可能材料を選択することにより、外側包装材のシール温度は、包装パッケージ内の個々のパッケージを包装するのに用いられる全ての包装材のシール温度よりも低いことが好ましい。外側包装材のシール温度は、任意の個別パッケージの包装材のシール温度と比較して、約５パーセント乃至約２５パーセント低いことが好ましい。従って、最初に、第１の高温で、各パッケージの周りのパッケージ上包を個別にシールし、次いで、より低い温度で、個別に上包みされたパッケージの束の外側包装材をシールすることができる。
【００４８】
本発明によるパッケージの外側表面は、印刷された、エンボス加工された、デボス加工された又は別の方法により製造業者又はブランドのロゴ、商標、スローガン又は他の消費者情報及び印等で装飾されたものとすることができる。
【００４９】
本発明によると、上述の、本発明による包装パッケージを製造する方法も提供される。本方法は、
１つ又はそれ以上の消費財を収納する充填されたパッケージを提供することと、
外側包装材をパッケージの周りに一つの方向において包装し、外側包装材の第１及び第２の対向する縁を重ねて、パッケージの第１の側部を横切って延びる長手方向重なり領域を形成することと、
外側包装材の端部をシールすることと、
長手方向重なり領域を横切って少なくとも部分的に横方向に延び、開封用タブを規定する開封用切れ目を外側包装材に設けること、
を含む。
【００５０】
長手方向重なり領域に沿って外側包装材を重ねた後、外側包装材は、充填されたパッケージの周りに開放端を有する管を形成する。外側包装材の開放端管の対向する端部は、エンベロープ型の折り目を用いて、従来様式で折り畳まれ、シールされることが好ましい。包装材は、例えば、熱シール、又は、好適な接着剤を塗布する等の任意の好適な技術を用いて、それ自体にシールすることができる。このような長手方向重なり領域と対向するエンベロープシールとを形成する包装プロセスは、当業者に周知である。
【００５１】
外側包装材は、例えば、上述の熱シールを用いて又は公的な接着剤により、長手方向重なり領域の少なくとも一部に沿ってシールされることが好ましい。
【００５２】
開封用切れ目の第１の部分は、外側包装材の対向する縁の第１の縁に形成され、開封用切れ目の第２の部分は、外側包装材の対向する切れ目の第２の縁に形成され、上述のように、外側包装材の対向する縁は、互いに重ねられ、開封用切れ目の第１及び第２の部分が互いに位置合わせさることによって、完全な開封用切れ目を形成することが好ましい。
【００５３】
このことは、外側包装材を形成するためのシート材料の連続シートに、複数の離間された開封用切れ目を設けることにより達成され、ここで連続シートは、開封用切れ目の各々の中間点を横方向に通って切断され、個別の外側包装材が形成されることが好ましい。
【００５４】
開封用切れ目は、開封用切れ目の所望の形状に対応する刃先を有するナイフを用いて形成されることが好ましい。例えば、Ｕ字形状の開封用切れ目が望まれる場合は、Ｕ字形状のナイフ又はブレードを用いて、シート材料に開封用切れ目を形成することが好ましい。
【００５５】
上述のように、本発明によると、開封用切れ目により形成された開封用タブを掴むことと、開封用タブを長手方向重なり領域の方向に引っ張って長手方向重なり領域を外側包装材の残りから引きはがすことと、ひとたび長手方向重なり領域が外側包装材から分離されたら、外側包装材の残りをパッケージから取り除くことを含む、本発明による包装パッケージから外側包装材を取り除く方法も提供される。
【００５６】
本発明は、例示のみの方法により添付の図面を参照してさらに説明される。
【図面の簡単な説明】
【００５７】
【図１】本発明による喫煙物品の包装パッケージの正面斜視図を示す。
【図２】図１の包装パッケージの外側包装材を提供するのに用いられるシート材料の平面図を示す。
【図３】図１の包装材パッケージの外側包装材の開封用切れ目の拡大図を示す。
【発明を実施するための形態】
【００５８】
図１に示されるパッケージ１０は、矩形平行六面体であり、２０本の喫煙物品の１０個の別個のヒンジ蓋容器（視認できない）のカートン１２と、カートンの周りに梱包された外側包装材１４とを含む。カートン１２とカートン内に収納されたヒンジ蓋容器とは、当業者には周知である従来からの設計及び構造である。
【００５９】
外側包装材１４は、ポリプロピレンの透明フィルムで形成される。包装材１４は、カートン１２の周りに長手方向に巻かれ、外側包装材１４の対向する第１の縁１６ａ及び第２の縁１６ｂは重なって長手方向重なり領域１８を形成する。重なり領域１８は、直線の帯で、カートンの前壁２０を横切って、前壁２０の一方の側に向かってカートンの長手方向縁に対して実質的に平行に延びる。カートン１２の端部において、外側包装材１４は、従来からの方法で折り畳まれ、所定の位置にシールされる。
【００６０】
長手方向重なり領域に沿って、カートンの前壁２０の縁から長手方向重なり領域の長さのおよそ１０％の位置に、重なり領域１８の幅全体を横切って横方向に延び、重なり領域の両側で終端する開封用切れ目２２が設けられる。開封用切れ目２２はＵ字形状であり、「Ｕ」の開放端は、重なり領域１８の長さの残りの９０％の方向に向けられる。Ｕ字形状の開封用切れ目２２の端部は、重なり領域１８の両側に設けられ、重なり領域の長手方向に対して実質的に平行に延びる。Ｕ字形状の切れ目は、開封用タブ２４を規定する。
【００６１】
図２における開封用切れ目の拡大図に見ることができるように、外側包装材上には、Ｕ字形状の切れ目２２に近接して多数の追加の切れ目も設けられる。一対の対向する直線の切れ目２６が、Ｕ字形状の開封用切れ目２２の端部から短く設けられ、開封用切れ目のＵ字形状の連続部を形成する。追加の切れ目２４の各々は、長手方向重なり領域１８の隣接する縁に対して実質的に平行に延びる。Ｕ字形状の開封用切れ目２２と前壁２０の最も近い長手方向縁との間に、追加の横方向の切れ目２８が設けられる。横方向の切れ目２８は、Ｕ字形状の開封用切れ目２２から離れるように切り込まれ、重なり領域１８の長手方向に対して実質的に直角に延びる直線で形成される。
【００６２】
図１の包装パッケージ１０を開封するために、消費者は、Ｕ字形状の切れ目２２により形成された開封用タブ２４を掴み、長手方向重なり領域１８の方向に引っ張ることができる。Ｕ字形状の切れ目２２は、重なり領域１８の長手方向縁に沿って伝搬するので、重なり領域の第１の縁１６ａ及び第２の縁１６ｂは、外側包装材１４の残りの部分から取り除かれる。ひとたび重なり領域１８が取り除かれると、外側包装材１４の残りは、外側包装材１４の横方向の切れ目２８によって、容易にカートンからはがすことができる。
【００６３】
図１に示されるパッケージ１０の外側包装材１４は、喫煙物品のカートン１２を包装するのに適切なサイズの別個の外側包装材を形成するように裁断された透明なポリプロピレン材料の連続シート１１４から形成される。図３は、複数の離間されたＵ字形状の切れ目１２２を含む、外側包装材１４を形成するためのシート材料１１４の概略図を示す。Ｕ字形状の切れ目１２２は、連続シートの長手方向、つまり移動方向において離間され、各切れ目の開放端は、シート材料の側部に面している。
【００６４】
シート材料１１４は、シート材料を横切って横方向に、シート材料の移動方向に対して直角の方向に延びる、図３に示された点線「１０１」に沿って、別個の外側包装材に切断される。シート材料の切断位置は、連続シートがＵ字形状の切れ目１２２のおよそ中間点で裁断され、Ｕ字形状の切れ目の半分が包装材の第１の縁１６ａに設けられ、他方の半分が、包装材の対向する第２の縁１６ｂに設けられるようにされる。
【００６５】
外側包装材１４は、最初に包装材の第１の縁１６ａをカートン１２の前壁に接触させ、外側包装材をカートン１２の周りに一度巻き付け、外側包装材の第２の縁１６ｂを第１の縁１６ａの上に重ねることで、Ｕ字形状の切り目の両半分が位置合わせされて、一緒に完全なＵ字形状の開封用切れ目２２を外側包装材１４に形成することにより、長手方向においてカートン１２の周りを包む。外側包装材１４の端部は、従来からの方法で折り畳まれ、所定の位置でのり付けされるか又はシールされる。
【００６６】
外側包装材のサイズ及び形状と開封用切れ目の位置を適応させることにより、同様な形態の外側包装材を様々な形状及びサイズの種々のパッケージに適用できることが理解されるであろう。
【符号の説明】
【００６７】
１０：パッケージ
１２：カートン
１４：外側包装材
１６ａ：第１の縁
１６ｂ：第２の縁
１８：重なり領域
２０：前壁
２２：開封用切れ目
２４：開封用タブ 
２６：一対の直線の切れ目
２８：横方向の切れ目
１１４：連続シート
１２２：Ｕ字形状の切れ目
【図１】
2014500208.tif 000003
【図２】
2014500208.tif 000004
【図３】
2014500208.tif 000005
【手続補正書】
【提出日】平成25年8月22日(2013.8.22)
【手続補正１】
【補正対象書類名】特許請求の範囲
【補正対象項目名】全文
【補正方法】変更
【補正の内容】
【特許請求の範囲】
【請求項１】
消費財の包装パッケージであって、
１つ又はそれ以上の消費財を収納する充填されたパッケージと、
前記充填されたパッケージの周りに巻かれる外側包装材であって、前記パッケージの第１の側を横切って延びる長手方向重なり領域に沿って前記外側包装材の第１及び第２の対向する縁が互いに重なるようにする外側包装材と、
を含み、
前記外側包装材には前記長手方向重なり領域全体を横切って横方向に延びる開封用切れ目が設けられ、前記外側包装材に開封用タブを規定することを特徴とする包装パッケージ。
【請求項２】
前記開封用切れ目は略Ｕ字形状、略Ｓ字形状略、又は略Ｖ字形状であることを特徴とする、請求項１に記載の包装パッケージ。
【請求項３】
前記外側包装材は、前記開封用タブを形成する前記開封用切れ目の端部から離間され、開封用切れ目の連続部を形成する２つの追加の対向する切れ目をさらに含むことを特徴とする、請求項１又は請求項２に記載の包装パッケージ。
【請求項４】
前記２つの追加の対向する切れ目は、前記重なり領域の前記長手方向に対して０度乃至４５度の角度で延び、前記対向する切れ目は、前記重なり領域の前記対向する長手方向縁において終端することを特徴とする、請求項３に記載に包装パッケージ。
【請求項５】
前記外側包装材は、前記開封用切れ目及び前記長手方向重なり領域の一方の側に配置され、前記長手方向重なり領域に対して略直角の方向に延びる追加の横方向の切れ目をさらに含むことを特徴とする、請求項１〜請求項４のいずれかに記載の包装パッケージ。
【請求項６】
界面に沿って互いに接触する２つ又はそれ以上の消費財を収納し、前記長手方向重なり領域は、前記パッケージの縁において前記消費財間の前記界面の上に重なり、前記開封用切れ目は、前記界面を横切って設けられ、前記長手方向重なり領域を取り除くことにより前記外側包装材を開封すると、前記２つ又はそれ以上の消費財が互いから分離可能になることを特徴とする、請求項１〜請求項５のいずれかに記載の包装パッケージ。
【請求項７】
喫煙物品の束で充填され、前記外側包装材に包装された容器を含むことを特徴とする、請求項１〜請求項６のいずれかに記載の包装パッケージ。
【請求項８】
請求項１〜請求項７のいずれかに記載の包装パッケージを製造するための方法であって、
１つ又はそれ以上の消費財を収納する充填されたパッケージを提供することと、
外側包装材を前記パッケージの周りに一方向において包装し、前記外側包装材の第１及び第２の対向する縁を重ねて、前記パッケージの第１の側を横切って延びる長手方向重なり領域を形成することと、
前記外側包装材の前記端部をシールするステップと、
前記長手方向重なり領域全体を横切って横方向に延びて開封用タブを規定する、開封用切れ目を前記外側包装材に設けることと
を含むことを特徴とする方法。
【請求項９】
前記開封用切れ目の第１の部分は、前記外側包装材の前記対向する縁の第１の縁に形成され、前記開封用切れ目の第２の部分は前記外側包装材の前記対向する縁の第２の縁に形成され、前記外側包装材の前記対向する縁は互いに重ねられ、前記開封用切れ目の前記第１の部分及び前記第２の部分が互いに位置合わせされ、完全な開封用切れ目が形成されるようにすることを特徴とする、請求項８に記載の方法。
【国際調査報告】
2014500208.tif 000006
2014500208.tif 000007
2014500208.tif 000008